(57)【要約】      （修正有）【課題】外観のデザイン性に優れるとともに、収容能力を大きく変えることができるバッグを提供する。【解決手段】本考案の一態様に係るバッグは、収容部の開口部の少なくとも一部を区画形成する枠形成部１２と、該枠形成部に一体的につなげられて、前記収容部の少なくとも一部を区画形成する伸縮性シート状部１４とを備え、前記伸縮性シート状部の表面に、図柄Ｄが伸縮可能に設けられている。【選択図】図２
0003219396.tif 000002
【実用新案登録請求の範囲】
【請求項１】
収容部の開口部の少なくとも一部を区画形成する枠形成部と、
該枠形成部に一体的につなげられて、前記収容部の少なくとも一部を区画形成する伸縮性シート状部と
を備え、
前記伸縮性シート状部の表面に、図柄が伸縮可能に設けられている、
バッグ。
【請求項２】
前記枠形成部は、前記開口部につながる側部、及び、該側部間に延びる底部を形成し、
前記伸縮性シート状部は、前記開口部、前記側部及び前記底部により定められる領域に張られている、
請求項１に記載のバッグ。
【考案の詳細な説明】
【技術分野】
【０００１】
本考案は、収容能力を大きく変えることができるバッグに関する。
【背景技術】
【０００２】
バッグは、一般に柔軟な布や皮などのシート状素材にて作製されていて、その収容能力は概して一定である。これに対して、特許文献１は、収容能力を大きな範囲で可変とするバッグの一例を提供する。このバッグでは、左右の側面部、底面部、正面部、及び、背面部に、２条のゴム糸をジグザグ状に縫い止めすることによって縮められた多数のひだが付与されている。このひだの部分の伸縮性により、バッグの収容能力において大きな融通性を可能にする。
【先行技術文献】
【特許文献】
【０００３】
【特許文献１】実開昭６２−２７０１８号公報
【考案の概要】
【考案が解決しようとする課題】
【０００４】
上記特許文献１に記載のバッグでは、ひだの部分の伸縮により収容能力を可変とすることができるが、その外観又はデザインがひだの形状に限定されてしまう。また、このようなひだは、付着した汚れが折れ目又は皺部に入り易いという問題もある。
【０００５】
そこで本考案は、ひだ模様に限定されず外観のデザイン性に優れるとともに、収容能力を大きく変えることができるバッグを提供することを目的とする。
【課題を解決するための手段】
【０００６】
上記目的を達成するために、本考案の一態様は、
収容部の開口部の少なくとも一部を区画形成する枠形成部と、
該枠形成部に一体的につなげられて、前記収容部の少なくとも一部を区画形成する伸縮性シート状部と
を備え、
前記伸縮性シート状部の表面に、図柄が伸縮可能に設けられている、
バッグ
を提供する。
【０００７】
前記枠形成部が前記開口部につながる側部、及び、該側部間に延びる底部を形成する場合、前記伸縮性シート状部は、前記開口部、前記側部及び前記底部により定められる領域に張られているとよい。
【考案の効果】
【０００８】
本考案の一態様に係る上記バッグによれば、上記構成を備えるので、外観のデザイン性に優れ、かつ、収容能力を大きく変えることができる。
【図面の簡単な説明】
【０００９】
【図１】本考案の一実施形態に係るバッグの斜視図である。
【図２】図１のバッグの正面図であり、（ａ）は当初の状態を示し、（ｂ）は伸縮シートが伸長した状態を示す。
【考案を実施するための形態】
【００１０】
以下、本考案に係る実施形態を添付図に基づいて説明する。同一の部品（又は構成）には同一の符号を付してあり、それらの名称及び機能も同じである。したがって、それらについての詳細な説明は繰返さない。
【００１１】
本考案の一実施形態に係るバッグ１０の斜視図を図１に示す。バッグ１０は、枠形成部としての枠部１２と、伸縮性シート状部としての伸縮シート１４とを備える。枠部１２は、ここでは、皮材料で形成されているが、布、合成樹脂性生地などのバッグの基本形状の枠又はフレームを定めることができる種々の材料で作製可能である。なお、枠部１２は、１つの材料で形成されることに限定されず、例えば布地と、そこに通される骨部とを有して構成されてもよい。
【００１２】
枠部１２は、バッグ１０内の収容部Ｈへ収容物を出し入れするための開口部１６を区画形成する。また、枠部１２は、ここでは開口部１６にそれぞれがつながる両側部１８及び、側部１８間に延びる底部２０を形成する。そして、枠部１２には、持ち手２２が取り付けられている。なお、図１から明らかなように、持ち手２２の数は２つであるが、１つ又は３つ以上であってもよい。また、持ち手２２は、ショルダーベルトなどとされてもよい。
【００１３】
伸縮シート１４は、ここでは、ポリエステル製の伸び縮み可能な生地シート製である。伸縮シート１４は、それ以外の材料、例えばゴム製シートなど、伸び縮み可能な種々の材料で作製可能である。伸縮シート１４は、開口部１６、側部１８及び底部２０により定められる領域、つまり、図１で手前側に表されている正面部２４及び裏面部（不図示）の各々に張られている。なお、ここでは、伸縮シート１４は、縫い合わせることにより枠部１２にしっかりと一体的につなげられているが、他の方法又は手段により一体化されてもよい。
【００１４】
図１のバッグ１０では、正面部２４と裏面部とのそれぞれの伸縮シート１４の表面に同じ図柄Ｄがプリントされている。この図柄Ｄは、プリント以外の方法又は手段で伸縮シート１４に設けられてもよいが、伸縮シート１４の伸び縮みに伴って伸縮可能であるとよい。なお、図１に示すように、図柄Ｄは、下側を向いた両目Ｄ１と、その下方の口Ｄ２と、口Ｄ２につながる髭Ｄ３とを有する。本考案は、図柄Ｄとして種々の図柄を用いることを許容する。例えば、芸能人の写真、似顔絵、キャラクターの絵などを図柄Ｄとして用いることが可能である。
【００１５】
このようなバッグ１０について、図２に基づいて更に説明する。図２は、バッグ１０を正面側から見た図であり、そこには正面部２４の図柄Ｄが表されている。図２（ａ）はバッグ１０内の収容部Ｈに収容物が無い状態でのバッグ１０を示し、図２（ｂ）はバッグ１０内の収容部Ｈに図２（ａ）の状態のバッグ１０の収容部Ｈの容積（又は形状）を大きく超える物（不図示）を収容した状態でのバッグ１０を示す。
【００１６】
図２（ａ）及び（ｂ）を比較することで、図２（ｂ）のバッグ１０では、枠部１２が柔軟に変形し、かつ、伸縮シート１４が図１及び図２（ａ）の当初の状態から伸長していることが理解できる。この伸縮シート１４の伸長により、図柄Ｄが変化し、面白い図柄つまりデザインになっている。なお、図２（ｂ）の符号Ｗは、伸縮シート１４に生じたし皺を示す。
【００１７】
ただし、図２（ｂ）では、バッグ１０の幅方向１０ｗ、高さ方向１０ｈにのみ、伸縮シート１４が変化しているように見えるかもしれないが、奥行き方向１０ｄにも変化している。なお、これらの方向１０ｗ、１０ｈ、１０ｄについては、図１に示す。
【００１８】
以上述べたように、バッグ１０は、収容部Ｈの開口部１６を区画形成する枠部１２と、該枠部１２に一体的につなげられて収容部Ｈの一部を区画形成する伸縮シート１４とを備える。したがって、バッグ１０には、伸縮シート１４を伸長させる程度の収容物が収容されたとき、伸縮シートが伸長することで、それまでよりも収容能力を大きく高めることができる。
【００１９】
また、バッグ１０では、伸縮シート１４の表面に図柄Ｄが伸縮可能に設けられている。したがって、図柄Ｄが、伸縮シート１４が当初の状態（図１及び図２（ａ）参照）にあるときと、伸縮シート１４が伸長状態（図２（ｂ）参照）にあるときとで大きく変化する。したがって、バッグ１０は、外観のデザイン性に優れる。
【００２０】
以上、本考案の代表的な実施形態及び変形例について説明したが、本考案種々の変更が可能である。本願の実用新案登録請求の範囲によって定義される本考案の精神及び範囲から逸脱しない限り、種々の置換、変更が可能である。
【００２１】
例えば、上記バッグ１０では、枠部１２は収容物を収容するための開口部１６を区画形成したが、その少なくとも一部を区画形成する種々の態様が可能である。また、上記バッグ１０では、伸縮シート１４は、収容物が収容される収容部Ｈの少なくとも一部を区画形成したが、収容部Ｈの概ね全てを区画形成するなど、種々の態様が可能である。
【符号の説明】
【００２２】
１０  バッグ
１２  枠部（枠形成部）
１４  伸縮シート（伸縮性シート状部）
１６  開口部
１８  側部
２０  底部
２２  持ち手
２４  正面部
Ｄ  図柄
Ｈ  収容部
【図１】
0003219396.tif 000003
【図２】
0003219396.tif 000004